(57)【要約】【課題】浄化された空気がディスクアセンブリーを通過する際に、ディスクアセンブリーとの干渉または抵抗を最小化する空気清浄加湿器を提供する【解決手段】送風ファンにより浄化された空気が、加湿機能を行うために設けられたディスクアセンブリーを通過する際にディスクアセンブリーとの干渉または抵抗を最小化する空気清浄加湿器が開示される。この空気清浄加湿器は、空気排出口を有する本体と、本体の内部に設けられる水槽と、本体の内部で気流を生成する送風ファンと、水槽に一部分が浸って回転するように送風ファンの周辺に配置されるディスクアセンブリーと、を含み、ディスクアセンブリーは、周縁を形成するリング部と、リング部の一部を切断して形成され、空気排出口に近接して配置される切開部と、を含む構成とした。【選択図】図３
2011047637.tif 000002
【特許請求の範囲】
【請求項１】
空気排出口を有する本体と、
前記本体の内部に設けられる水槽と、
前記本体の内部で気流を生成する送風ファンと、
前記水槽に一部分が浸って回転するように前記送風ファンの周辺に配置されるディスクアセンブリーと、
を含み、
前記ディスクアセンブリーは、周縁を形成するリング部と、前記リング部の一部を切断して形成され、前記空気排出口に近接して配置される切開部と、を含むことを特徴とする空気清浄加湿器。
【請求項２】
前記切開部は、前記リング部の一部分を扇状に切断して形成されることを特徴とする請求項１に記載の空気清浄加湿器。
【請求項３】
前記ディスクアセンブリーを駆動して回転力を伝達する駆動ユニットをさらに含むことを特徴とする請求項１に記載の空気清浄加湿器。
【請求項４】
前記ディスクアセンブリーは、ギア部が形成された側板を含み、
前記駆動ユニットは、前記ギア部に結合されることを特徴とする請求項３に記載の空気清浄加湿器。
【請求項５】
前記駆動ユニットは、前記リング部は前記水槽に浸り、前記切開部は前記水槽に浸らないように前記ディスクアセンブリーを正方向及び逆方向に回転させることを特徴とする請求項１に記載の空気清浄加湿器。
【請求項６】
前記水槽の内部には、前記ディスクアセンブリーを支持する支持部材が設けられることを特徴とする請求項１に記載の空気清浄加湿器。
【請求項７】
前記ディスクアセンブリーの回転中心は、前記送風ファンの回転中心と一致するように配置され、
前記ディスクアセンブリーは、その厚さが前記送風ファンの厚さと重なるようにして前記本体に収容されることを特徴とする請求項１に記載の空気清浄加湿器。
【請求項８】
前記ディスクアセンブリーは、内部に前記送風ファンが挿入されうるように前記送風ファンよりも大きい直径を有する開口部を含むことを特徴とする請求項１に記載の空気清浄加湿器。
【請求項９】
前記ディスクアセンブリーは、少なくとも二つの側板と、前記側板の間に設けられる複数のディスクと、前記複数のディスク間の間隔を維持するスペーサと、を含むことを特徴とする請求項１に記載の空気清浄加湿器。
【請求項１０】
前記本体の背面には、空気が吸入される空気吸入口が設けられることを特徴とする請求項１に記載の空気清浄加湿器。
【請求項１１】
前記切開部は、空気清浄モードが設定されると、前記空気排出口に最も近接する位置となることを特徴とする請求項１に記載の空気清浄加湿器。
【請求項１２】
前記本体には、前記ディスクアセンブリーにより加湿された空気を加熱するヒーターが設けられることを特徴とする請求項１に記載の空気清浄加湿器。
【請求項１３】
前記本体には、前記ディスクアセンブリーにより加湿された空気を殺菌する殺菌装置が設けられることを特徴とする請求項１に記載の空気清浄加湿器。
【請求項１４】
空気吸入口及び空気排出口を有する本体と、
前記本体の下部に結合される水槽と、
前記水槽に一部分が浸って回転するディスクアセンブリーと、
前記空気吸入口から空気を流入し、前記空気排出口から空気が排出されるように前記ディスクアセンブリーと同一の回転中心をもって回転する送風ファンと、
を含み、
前記ディスクアセンブリーは、前記送風ファンにより生成された気流が前記空気排出口に移動するように周縁の一部を切断して形成された切開部を含むことを特徴とする空気清浄加湿器。
【請求項１５】
前記切開部が前記水槽に浸らないように前記ディスクアセンブリーを正方向及び逆方向に回転させる駆動ユニットをさらに含み、
前記駆動ユニットは、入力された所定の角度で前記ディスクアセンブリーを正方向に回転させた後に逆方向に回転させるステップモーターを含むことを特徴とする請求項１４に記載の空気清浄加湿器。
【発明の詳細な説明】
【技術分野】
【０００１】
本発明は、空気清浄加湿器に係り、特に、ディスクアセンブリーを備えて、室内空気の浄化及び加湿を行うことができる空気清浄加湿器に関するものである。
【背景技術】
【０００２】
一般に、室内湿度を適正レベルに維持し、各種の呼吸器疾患を予防するために加湿器が使われている。
【０００３】
加湿器の加湿方式には様々なものがあり、なかでも、最近では、空気浄化フィルターにより浄化された空気が、水に濡れたディスクアセンブリーを経て排出口から外へ排出されることで自然加湿を行う、ディスクアセンブリーを備えた気化式加湿器が開発されてきている。
【０００４】
気化式加湿器は、空気浄化と加湿を同時に行う空気清浄及び加湿モードと、空気浄化のみを行う空気清浄モードを選択的に行う。
【０００５】
空気清浄モードにおいて、加湿器に取り付けられた送風ファンにより浄化された空気が、加湿機能を行うために設けられたディスクアセンブリーを通過する際に、ディスクアセンブリーの抵抗により風速が減少する現象が発生する。
【発明の概要】
【発明が解決しようとする課題】
【０００６】
したがって、本発明の一側面は、送風ファンにより浄化された空気が、加湿機能を行うために設けられたディスクアセンブリーを通過する際に、ディスクアセンブリーとの干渉または抵抗を最小化する空気清浄加湿器を提供することにある。
【課題を解決するための手段】
【０００７】
本発明の一側面による空気清浄加湿器は、空気排出口を有する本体と、本体の内部に設けられる水槽と、本体の内部で気流を生成する送風ファンと、水槽に一部分が浸って回転するように送風ファンの周辺に配置されるディスクアセンブリーと、を含み、ディスクアセンブリーは、周縁を形成するリング部と、リング部の一部を切断して形成され、空気排出口に近接して配置される切開部と、を含むことを特徴とする。
【０００８】
また、切開部は、リング部の一部分を扇状に切断して形成されることを特徴とする。
【０００９】
また、上記空気清浄加湿器は、ディスクアセンブリーを駆動して回転力を伝達する駆動ユニットをさらに含むことを特徴とする。
【００１０】
また、ディスクアセンブリーは、ギア部が形成された側板を含み、駆動ユニットは、ギア部に結合することを特徴とする。
【００１１】
また、駆動ユニットは、リング部は水槽に浸り、切開部は水槽に浸らないようにディスクアセンブリーを正方向及び逆方向に回転させることを特徴とする。
【００１２】
また、水槽の内部にはディスクアセンブリーを支持する支持部材が設けられることを特徴とする。
【００１３】
また、ディスクアセンブリーの回転中心は、送風ファンの回転中心と一致するように配置され、ディスクアセンブリーは、その厚さが送風ファンの厚さと重なるようにして本体に収容されることを特徴とする。
【００１４】
また、ディスクアセンブリーは、内部に送風ファンが挿入されうるように送風ファンよりも大きい直径を有する開口部を含むことを特徴とする。
【００１５】
また、ディスクアセンブリーは、少なくとも二つの側板と、側板の間に設けられる複数のディスクと、複数のディスク間の間隔を維持するスペーサと、を含むことを特徴とする。
【００１６】
また、本体の背面には、空気が吸入される空気吸入口が設けられることを特徴とする。
【００１７】
切開部は、空気清浄モードが設定されると、空気排出口に最も近接する位置となることを特徴とする。
【００１８】
また、本体には、ディスクアセンブリーにより加湿された空気を加熱するヒーターが設けられることを特徴とする。
【００１９】
また、本体には、ディスクアセンブリーにより加湿された空気を殺菌する殺菌装置が設けられることを特徴とする。
【００２０】
本発明の他の側面による空気清浄加湿器は、空気吸入口及び空気排出口を有する本体と、本体の下部に結合される水槽と、水槽に一部分が浸って回転するディスクアセンブリーと、空気吸入口から空気を流入し、空気排出口から空気が排出されるようにディスクアセンブリーと同一の回転中心をもって回転する送風ファンと、を含み、ディスクアセンブリーは、送風ファンにより生成された気流が空気排出口に移動するように周縁の一部を切断して形成された切開部を含むことを特徴とする。
【００２１】
上記空気清浄加湿器は、切開部が水槽に浸らないようにディスクアセンブリーを正方向及び逆方向に回転させる駆動ユニットをさらに含むことを特徴とする。
【００２２】
駆動ユニットは、所定の入力角度でディスクアセンブリーを正方向に回転させた後に逆方向に回転させるステップモーターを含むことを特徴とする。
【発明の効果】
【００２３】
上述のように、本発明の実施例による空気清浄加湿器は、ディスクアセンブリーに切開部を設けることによって、送風ファンにより生成される空気の流れとディスクアセンブリーとの干渉を最小化し、加湿器の送風効率を向上させることができる。
【図面の簡単な説明】
【００２４】
【図１】本発明の一実施例による空気清浄加湿器の外観を示す斜視図である。
【図２】図１に示す空気清浄加湿器の分解斜視図である。
【図３】本発明のディスクアセンブリーが組み立てられた状態を示す斜視図である。
【図４】図３に示すディスクアセンブリーの側断面図である。
【図５】図３に示すディスクアセンブリーの正面図である。
【図６】図３に示すディスクアセンブリーの一部を拡大して示す図である。
【図７Ａ】ディスクアセンブリーの回転動作を示す断面図である。
【図７Ｂ】ディスクアセンブリーの回転動作を示す断面図である。
【図７Ｃ】ディスクアセンブリーの回転動作を示す断面図である。
【図７Ｄ】ディスクアセンブリーの回転動作を示す断面図である。
【図７Ｅ】ディスクアセンブリーの回転動作を示す断面図である。
【発明を実施するための形態】
【００２５】
図１は、本発明の一実施例による空気清浄加湿器の外観を示す斜視図であり、図２は、図１に示す空気清浄加湿器の分解斜視図である。
【００２６】
図１及び図２に示すように、空気清浄加湿器１は、外観をなす本体１０と、本体１０の内部に配置されて、水を貯留する水槽２０と、水槽２０に一部が浸って回転するディスクアセンブリー３０と、ディスクアセンブリー３０に空気を送風する送風装置４０と、を含む。
【００２７】
本体１０は、空気清浄加湿器１の枠組みをなす本体ボディー１１と、空気清浄加湿器１の前面外観をなす前面カバー１２と、空気清浄加湿器１の背面外観をなす背面カバー１３と、本体１０の上側に配置され、空気排出口１４ｃを形成する排出グリル１４と、を含む。
【００２８】
本体ボディー１１には、水槽２０、ディスクアセンブリー３０及び送風装置４０を含む各種の部品が設置され、空気清浄加湿器１の全体を支える骨組みの役割を果たす。
【００２９】
水槽２０は、水が貯留される空間であり、ディスクアセンブリー３０の下側一部が水槽２０の貯水部２１に配置されて水に浸るようになる。すなわち、ディスクアセンブリー３０は、水槽２０の貯水部２１に貯留された水に濡れることとなる。また、水槽２０には、後述する水タンクから水が供給される給水部２２が設けられている。
【００３０】
ディスクアセンブリー３０は、全体的にリング（ring）形状を有し、その詳細は後述される。
【００３１】
送風装置４０は、駆動力を提供する送風モーター４１と、送風モーター４１から駆動力が伝達されて、空気の流れを生成する送風ファン４２と、を含む。送風ファン４２は、空気吸入口１３ａから空気を吸い込んだ後、空気排出口１４ｃを通じて空気が排出されるように、空気清浄加湿器１内で気流を生成する。
【００３２】
本体ボディー１１の上側には、ヒーター１５が設置される。ヒーター１５は、必要時に、外部に排出される加湿空気を加熱して暖かい加湿空気とする役割を果たす。
【００３３】
本体ボディー１１の上部両側面には、殺菌装置１６が設置される。これらの殺菌装置１６は、加湿空気から有害な細菌などを撲滅して、空気清浄加湿器１の外部に排出される加湿空気を清浄にさせる役割を果たす。
【００３４】
前面カバー１２は、概略直方形の形状を有し、本体ボディー１１の前面に結合される。前面カバー１２のカバー表面は、様々な絵や図形などで多様に装飾することができる。そして、前面カバー１２の上部には、空気清浄加湿器１を操作するための操作部１２ａが設けられる。
【００３５】
操作部１２ａは、各種のボタンを備えて、ユーザが空気清浄加湿器１を操作できるようにする。操作部１２ａは、ボタン（button）方式の他に、タッチ（touch）方式にすることもできる。
【００３６】
背面カバー１３は、本体ボディー１１の背面に結合され、水タンク５０が収容される空間であるタンク収容部１３ｂを含む。背面カバー１３には、複数の空気吸入口１３ａが形成され、この空気吸入口１３ａを通じて室内の乾燥空気を吸い込む。
【００３７】
水タンク収容部１３ｂは、背面カバー１３の背面部に、上部が開口された形態で突出して形成され、その内部には内側カバー１３ｃが設置され、この内側カバー１３ｃの上に水タンク５０が収容される。
【００３８】
水タンク５０は、加湿に必要な水を貯留しておき、水槽２０の給水部２２を経て水槽２０の貯水部２１に適正量を供給する役割を果たし、空気清浄加湿器１にカセット方式で装着される。
【００３９】
水タンク５０が空気清浄加湿器１に装着されると、その上部は水タンクカバー５１で覆われる。そして、水タンク収容部１３ｂの背面内側にはフィルター６０が設置される。フィルター６０は、外部から流入する空気から不純物をろ過する役割を果たす。
【００４０】
排出グリル１４は、本体１０の上側に結合され、空気排出口１４ｃが形成される。排出グリル１４は、本体１０の外側に装着される外側排出グリル１４と、外側排出グリル１４の内側に装着される内側排出グリル１４と、を含む。
【００４１】
次に、図３乃至図６を参照して、本発明の実施例によるディスクアセンブリーについて説明する。図３は、本発明のディスクアセンブリーが組み立てられた状態を示す斜視図であり、図４は、図３に示すディスクアセンブリーの側断面図であり、図５は、図３に示すディスクアセンブリーの正面図であり、図６は、図３に示すディスクアセンブリーの一部を拡大して示す図である。
【００４２】
図３乃至図６に示すように、本発明の実施例による空気清浄加湿器１は、ディスクアセンブリー３０が送風ファン４２を取り囲むように配置される。そして、ディスクアセンブリー３０は、ディスクアセンブリー３０の回転中心Ａが送風ファン４２の回転中心Ｂと略同一になるようにして配置される。
【００４３】
ディスクアセンブリー３０は、本体ボディー１１に収容された状態で背面カバー１３に隣接する第１側板３１と、本体ボディー１１に収容された状態で前面カバー１２に隣接する第２側板３２と、第１側板３１及び第２側板３２との間に配置される複数のディスク３３と、を含んでなることができる。
【００４４】
ディスクアセンブリー３０の第１側板３１、第２側板３２、複数のディスク３３には、送風ファン４２の外径よりも大きい直径を有する開口部３０ａが形成される。すなわち、ディスクアセンブリー３０は、リング状に構成され、送風ファン４２がディスクアセンブリー３０の開口部３０ａに挿入されて本体ボディー１１に結合される。そして、ディスクアセンブリー３０は、ディスクアセンブリー３０の厚さＴ１が送風ファン４２の厚さＴ２と重なるようにして本体ボディー１１に収容される。ディスク３３は、所定の間隔で積層される複数枚のディスク部材を含む。ディスク３３には、第１側板３１に設けられた連結部材３１ａが貫通する貫通孔（図示せず）が、連結部材３１ａに対応して形成されることができる。また、第２側板３２にも、連結部材３１ａが貫通する貫通孔（図示せず）が、連結部材３１ａに対応して形成されることができる。そして、第１側板３１、ディスク３３、第２側板３２の間には、スペーサ３４が設けられる。これらのスペーサ３４によって各ディスク３３の間隔が調節される。
【００４５】
ディスクアセンブリー３０は、ディスクアセンブリー３０に回転力を発生させる駆動ユニット７０に結合される。この駆動ユニット７０は、駆動モーター７１と、駆動ギア７２とを含むことができ、駆動ギア７２は、第２側板３２のギア部３２ａに連結される。駆動ユニット７０の駆動ギア７２が第２側板３２のギア部３２ａに噛み合うことで駆動ユニット７０の駆動力がディスクアセンブリー３０に伝達される。
【００４６】
この駆動ギア７２は、ディスクアセンブリー３０の回転中心Ａよりも下方に配置することができる。これは、ディスクアセンブリー３０の空気清浄加湿器１への着脱時に、駆動ユニット７０との干渉を防止するためである。
【００４７】
水槽２０の内部にはディスクアセンブリー３０を支持する支持部材８０を設けることができる。支持部材８０は、水槽２０の内部両側に着脱自在に配置することができる。これら支持部材８０は、回転可能に設けられて、ディスクアセンブリー３０を支持すると同時にディスクアセンブリー３０が駆動ギア７２によってより安定して回転するように導く役割を果たす。このような支持部材８０は、水面よりも上側に配置されるローラを含むことができる。
【００４８】
ディスクアセンブリー３０には、送風ファン４２により生成された気流の速度が減少することを防止するように切開部３０ｂが形成される。切開部３０ｂは、空間Ｓを形成するために、ディスクアセンブリー３０の第１側板３１、第２側板３２、複数のディスク３３の周縁の一部を略扇状に切断して形成する。
【００４９】
さらにいうと、切開部３０ｂは、ディスクアセンブリー３０の周縁を形成するリング部３０ｃにおいてその一部を切断して形成する。すなわち、切開部３０ｂは、ディスクアセンブリー３０のリング部３０ｃの一部を切断して、矩形平面の第１切断面Ｐ１及び第２切断面Ｐ２を有するようになり、この第１切断面Ｐ１及び第２切断面Ｐ２との間にディスクアセンブリー３０の切開領域が形成される。
【００５０】
ディスクアセンブリー３０は、このような切開部３０ｂを通じて、送風ファン４２により生成された気流が抵抗の減少した状態で空気排出口１４ｃに移動できるようにする。
【００５１】
図示した実施例では、切開部３０ｂが略扇状に切断されるとしたが、切開部３０ｂは、送風ファン４２により生成された気流の速度が減少することなく空気排出口１４ｃに移動するようにディスクアセンブリー３０のリング部３０ｃの一部分を切断して形成することを考慮して、気流解析を通じて様々な形状にすることができるということは、当業者には容易に理解できる。
【００５２】
駆動ユニット７０は、ディスクアセンブリー３０の切開部３０ｂが水槽２０中に浸らないようにしながらディスクアセンブリー３０を回転させる。これは、ディスクアセンブリー３０の切開部３０ｂでは水を含むことができず、加湿性能の低下を招くためである。このようなディスクアセンブリー３０の回転動作については後述する。
【００５３】
次に、本発明の実施例による空気清浄加湿器の動作について説明する。
【００５４】
まず、空気清浄加湿器１が起動すると、水タンク５０に貯留されている水が水槽２０に給水される。水タンク５０から給水される水は、給水部２２を経て貯水部２１中に貯留される。この時、貯水部２１中の貯水量は、一定の水面２１ａを有するように調節することができる。また、ディスクアセンブリー３０は、リング状の一部が水槽２１中の水面２１ａよりも下方に位置しており、その一部が水に浸るようになる。
【００５５】
ユーザが操作部１２ａを通じて空気清浄及び加湿モードを選択すると、送風ファン４２及びディスクアセンブリー３０が同時に駆動し、空気浄化された空気は、回転するディスクアセンブリー３０を通過して空気排出口１４ｃから排出される。
【００５６】
このような空気清浄及び加湿モードの過程について具体的に説明すると、ディスクアセンブリー３０は、駆動ユニット７０の駆動力が駆動ギア７２からディスクアセンブリー３０に伝達されて回転する。
【００５７】
また、送風ファン４２が、リング状に構成されたディスクアセンブリー３０の開口部３０ａの内側に挿入されているため、ディスクアセンブリー３０は、送風ファン４２の外周に沿って回転移動する。送風ファン４２の回転により空気清浄加湿器１内では気流が生成される。具体的に、この気流は、空気清浄加湿器１の背面に形成された空気吸入口１３ａから空気が吸入され、フィルター６０を経て送風ファン４２に吸入された後、ディスクアセンブリー３０を通過して外部に排出される。
【００５８】
すなわち、送風ファン４２の厚さ及びディスク３３の厚さは重なるように配置されており、送風ファン４２から排出される気流はディスクアセンブリー３０に送風される。このように送風される空気が複数のディスク３３の間を通過する過程で、複数のディスク３３に含まれた水は気化する。このようにして加湿された空気は、空気排出口１４ｃを通過して本体１０から外部に排出される。
【００５９】
この時、ディスクアセンブリー３０は、リング部３０ｃの一部を切断して形成した切開部３０ｂを有し、よって、送風ファン４２により生成された気流は、ディスクアセンブリー３０との干渉や抵抗が減少した状態で空気排出口１４ｃに移動することができる。
【００６０】
また、ディスクアセンブリー３０は、リング部３０ｃのみが水槽２０に浸り、切開部３０ｂは水槽２０に浸らないように駆動される。
【００６１】
すなわち、図７Ａに示すように、駆動ユニット７０が切開部３０ｂの第１切断面Ｐ１に近接すると、ディスクアセンブリー３０を正方向Ｄ１に１２０°回転させて、図７Ｂに示すように、ディスクアセンブリー３０の切開部３０ｂが排出グリル１４に最も近接するように配置させる。
【００６２】
そして、図７Ｂのように配置されると、駆動ユニット７０は、ディスクアセンブリー３０を正方向Ｄ１にさらに１２０°回転させ、図７Ｃに示すように、切開部３０ｂの第２切断面Ｐ２が、水槽２０中の水面２１ａと近接するように配置させる。
【００６３】
図７Ｃのようにディスクアセンブリー３０が配置されると、駆動ユニット７０は、ディスクアセンブリー３０を逆方向Ｄ２に回転させるように駆動力を伝達し、図７Ｄに示すように、ディスクアセンブリー３０の切開部３０ｂが排出グリル１４に最も近接するように配置させる。
【００６４】
そして、図７Ｄのように配置されると、駆動ユニット７０は、ディスクアセンブリー３０を逆方向に１２０°さらに回転させて、図７Ｅに示すように、切開部３０ｂの第１切断面Ｐ１が水槽２０中の水面２１ａと近接するように配置させる。
【００６５】
図７Ｅに示すように、第１切断面Ｐ１が駆動ユニット７０に近接すると、再び、駆動ユニット７０はディスクアセンブリー３０を正方向Ｄ１に１２０°回転させ、以降、上述の動作を繰り返し行う。
【００６６】
この駆動ユニット７０は、入力された一定の角度に従ってディスクアセンブリー３０を正方向Ｄ１に回転させた後、ディスクアセンブリー３０を逆方向Ｄ２に回転させるステップモーターを含むことができる。
【００６７】
したがって、ディスクアセンブリー３０は、切開部３０ｂが常に水槽２０に浸らずに水槽２０の上側に配置されるように正方向Ｄ１または逆方向Ｄ２に回転するので、切開部３０ｂが水槽２０に浸ってディスクアセンブリーの加湿性能が低下することを防止することができる。
【００６８】
この時、空気浄化のみを行う空気清浄モードが設定されると、切開部３０ｂが空気排出口１４ｃに最も近接して位置するようにディスクアセンブリー３０の位置を補正する過程を行うことができる。これは、送風ファン４２により形成された気流がディスクアセンブリー３０と干渉する現象を最小化して送風量を増大させると共に、速かに室内に供給するためである。
【００６９】
上述の通り、本発明の実施例による空気清浄加湿器は、ディスクアセンブリーに切開部を形成することによって、送風ファンにより生成される空気の流れとディスクアセンブリーとの干渉を最小化し、加湿器の送風効率を向上させることができる。
【００７０】
以上では具体的な実施例が図示及び説明されたが、それらの実施例は本発明の原則及び精神を逸脱しない限度内で変更可能であるということは、当該技術分野における通常の知識を有する者にとっては明らかである。したがって、本発明の思想は、添付の特許請求の範囲及びその等価範囲で定められるべきである。
【符号の説明】
【００７１】
１      空気清浄加湿器
１０    本体
２０    水槽
３０    ディスクアセンブリー
３０ａ  開口部
３０ｂ  切開部
３０ｃ  リング部
３１    第１側板
３２    第２側板
３３    ディスク
４０    送風装置
４１    送風ファン
５０    水タンク
【図１】
2011047637.tif 000003
【図２】
2011047637.tif 000004
【図３】
2011047637.tif 000005
【図４】
2011047637.tif 000006
【図５】
2011047637.tif 000007
【図６】
2011047637.tif 000008
【図７Ａ】
2011047637.tif 000009
【図７Ｂ】
2011047637.tif 000010
【図７Ｃ】
2011047637.tif 000011
【図７Ｄ】
2011047637.tif 000012
【図７Ｅ】
2011047637.tif 000013